(57)【要約】【課題】  身体を締め付けることなく、多少のダブ付きをもって着用し、胸元にパットを配置することが出来る上衣の提供。【解決手段】  前身頃部４の胸元内側には縦横方向に伸縮する薄い生地を重ね合わせて構成したポケット５を設け、該ポケット５にはパッド８を収容する収容部とパッドを収容部に挿入する挿入口６を形成し、該ポケット５の収容部空間はパッド外形より大きくて、該パッド周囲にはポケット縁７との間に隙間１３を介在している。【選択図】    図４
2020176353.tif 000002
【特許請求の範囲】
【請求項１】
身体を締め付けることなく着用することが出来るアンダーシャツなどのインナーにおいて、前身頃部の胸元内側には縦横方向に伸縮する薄い生地にて構成したポケットを設け、該ポケットにはパッドを収容する収容部とパッドを収容部に挿入する挿入口を形成したもので、上記ポケットはインナーの前身頃部の一部として前身頃部と共に編製され、ポケット生地の縁には縫糸や段差をなくして滑らかな肌当たり面とし、該ポケットの収容部空間はパッド外形より大きくて、該パッド周囲にはポケット縁との間に隙間を介在していることを特徴とするパッドが収容されるポケット付きインナー。
【請求項２】
身体を締め付けることなく着用することが出来る上衣において、前身頃部の胸元内側には縦横方向に伸縮する薄い生地にて構成したポケットを設け、該ポケットにはパッドを収容する収容部とパッドを収容部に挿入する挿入口を形成したもので、上記ポケットは上衣の前身頃部の一部として前身頃部と共に編製され、ポケット生地の縁には縫糸や段差をなくして滑らかな面とし、該ポケットの収容部空間はパッド外形より大きくて、該パッド周囲にはポケット縁との間に隙間を介在していることを特徴とするパッドが収容されるポケット付き上衣。
【発明の詳細な説明】
【技術分野】
【０００１】
本発明はパッドを収容することが出来るようにポケットを備えたインナー（ガードルなどの下着を除く）及び上衣に関するものである。すなわち、バストを大きく見せると共にバストを支える機能を備えたインナー及び上衣である。
【背景技術】
【０００２】
ブラジャーは女性が着用する代表的なインナーの１つであり、両カップ部を有してバストを包み込んで支えることが出来る。また、バストを支えるのみならず、その形を整える役目を果たすことが出来る。
そこで、ブラジャーのカップ内側に収容部を設け、この収容部にパッドを挿入することでバストをより大きく見せ、しかも形の良いバストに見せることが出来る。
【０００３】
従来のブラジャーにおいては、カップ部を構成する表布と裏布との間に形成した収容部（ポケット）にパッドを着脱自在に挿入することが出来るタイプのものが知られている。  この種のブラジャーでは、使用者の好みに合ったパッドを使うことができるので、便利であるといった利点がある。
しかし、女性にとってバストの見栄えを良くし、またバストをより大きく見せたい願いはブラジャーやガードルを着用した場合に限るものではない。
【０００４】
例えば、ブラジャーを身に着けないで、インナーとなるアンダーシャツだけを着用する場合もあり、特に家にいる時は窮屈なブラジャーを身に着けないことが多い。
しかし、バストが小さい人、またバストが垂れている人は、ブラジャーを着用することなくアンダーシャツのままでは人目が気になり、勿論、アンダーシャツのままで外出することには大きな抵抗がある。
【０００５】
特開２００３−１９３３０２号に係る「トップ下着」は、スポーツ時等に、身体が透けて見えず、胸下部や脇部に引締めパワーが発生して着心地のよいトップ下着である。
そこで、このトップ下着は丸編地からなり、表地の裾口下端縁より折返して裏地を連続させ、二重のカップ部を形成したのである。また、前記表地と裏地とを縫着してカップパッド用袋部を設けた形態としている。
【０００６】
このトップ下着は、着用した際に引締めパワーが発生するものであって、ガードルなどのインナーに近く、本発明が対象とするアンダーシャツなどのインナーは一般に締め付け力はなくて、むしろ多少なりとダブ付きがある下着を主たる対象としている。
【特許文献１】特開２００３−１９３３０２号に係る「トップ下着」
【発明の開示】
【発明が解決しようとする課題】
【０００７】
このように、ブラジャーを着用しないでアンダーシャツなどのインナーを身に付ける場合、バストに関して上記のごとき問題がある。本発明は、この問題点の解決を目的としたものであり、着用しても身体を締め付けることなく、多少ダブ付いたアンダーシャツなどを身に付けた場合であっても、バストの見栄えが良くなるようにパッドを収容することが出来るポケットを設けたインナーを提供する。また、対象物はインナーに限らず、上衣も含める。
【課題を解決するための手段】
【０００８】
本発明に係るインナーとは、着用した場合にガードルなどのように身体にフィットして締め付けることなく、むしろ多少のダブ付きを残したラフなインナーを主たる対象としている。
ところで、このようなインナーを着用するならば、身体が締め付けられることなくリラックスすることが出来、家庭に居る時は適している。そして、本発明のインナーには、その内側にポケット（収容部）が設けられ、このポケットにパッドを収容することが出来る。
【０００９】
上記ポケットには挿入口が設けられ、この挿入口からパッドを上記ポケットに挿入し、また不要な時はポケットから取出すことが出来る。
ここで、上記パッドは概略皿形であって、その外形は一般的に円形又は楕円形と成って、その大きさは自由であり、ポリウレタンなどの柔らかい樹脂製材質を用いている。
【００１０】
そして、ポケットの大きさは、収容されるパッドより多少大きく、ポケットに収容した状態でバストにフットするように、その位置をズラす（動かす）ことが出来るように構成している。
すなわち、インナーを着用した場合に、ポケットに収容したパッドがバストにフィト出来るように、収容部内で移動して位置決めされる。このポケットを設けた衣類はインナーに限らず、上衣にも設ける。
【００１１】
ところで、本発明に係るインナー及び上衣を構成する生地は編み生地が用いられ、上記ポケットはインナー及び上衣の前身頃部の内側に一体に編製される。すなわち、所定の形状に裁断したポケット生地を前身頃生地に重ね合わせて縁を縫付けしたものではなく、その為に縫糸は存在せず、上記前身頃生地との間に段差ない。
【発明の効果】
【００１２】
本発明に係るインナーは、その内側にポケットを設け、このポケットにパッドを収容することが出来る。従って、身体にフィットすることなくダブ付いたインナーであっても、ポケットにパッドを収容することで、バストを適当な大きさ・形状に膨らみを作ることが出来る。
勿論、インナーは身体を締め付けて密着することなく、むしろ多少なりとダブ付きを有している場合でも、ガードルのような身体を締め付ける窮屈感はなく、家に居る場合には気楽に着用出来る。
【００１３】
本発明はアンダーシャツなどのインナーに限らず、上衣の場合にはそのまま外出することが可能である。すなわち、ブラジャーなどのインナーを着用することなく、気楽に外出が出来る。しかも、ポケットにはウレタンゴムなどの柔らかい樹脂を材質としたパッドが収容され、該パッドにてバストを支える効果は備わっている。パッドは比較的大きな収容部を有すポケット内部でその位置をズラせることが出来、その為にバストを支持できる最適な位置に配置される。
【００１４】
そして、本発明のインナー及び上衣は編み生地から成り、前身頃生地と共にポケットが編製されることで、別な生地を前身頃部に重ね合わせて縫い付ける場合に比較して作業工程は簡素化される。また、ポケット生地を重ね合わせて縫付けないことで、前身頃生地との間にポケット生地厚分の段差はなく、縫い付ける際の縫糸が存在しないことで、前身頃部の内面はポケットが存在しても滑らかな肌当たり面となる。
【図面の簡単な説明】
【００１５】
【図１】パッドが収容されるポケット付き上衣を示す具体例で、（ａ）は正面図、（ｂ）は背面図。
【図２】上衣の表見頃部の内側に形成されるポケット。
【図３】ポケットに収容されるパッドの具体例。
【図４】ポケットにパッドを収容された場合の実施例。
【発明を実施するための形態】
【００１６】
図１は本発明に係る「パッドが収容されるポケット付き上衣」を示す実施例である。同図に示す上衣の製作は基本的には編製されて、縫製する工程は省かれ、そしてパッドが収容されるポケット（収容部）を前身頃部の内側（内面側）に編み製されている。すなわち、前身頃生地の一部として前身頃部と共にポケットが編製されている。
【００１７】
図１（ａ）は正面図、（ｂ）は背面図であり、同図の１は上衣、２は見頃部、３は袖部を夫々表している。ところで、該上衣１の胸元にはポケットが設けられ、このポケットにはパッドを入れることが出来る。該ポケットは前見頃部の内側に設けられている為に、表面化することはない。そして、身頃部２と共に編製されることで表面に縫糸は存在しない。
図１（ａ）に示している点線は内側に設けているポケットの挿入口を表している。
【００１８】
図２は上記前身頃部４の内側に設けているポケット５を表している。該ポケット５には上記挿入口６が形成され、この挿入口６からパッドが挿入されてポケット５に収容される。ただし、該ポケット５は所定の形状に裁断したポケット生地を前見頃部４の内側に重ね合わせてその縁７ａ，７ｂ，７ｃ・・・を前身頃部４に縫い付けされることなく、間には所定のポケット空間が形成され、このポケット空間にパッドが収容される。
【００１９】
すなわち、身頃部２は編製されるが、同時に前身頃部４の一部に上記ポケット５が編製される。上記点線で示している縁７ａ，７ｂ，７ｃ・・・はポケット５の外縁であって、これら縁７ａ，７ｂ，７ｃ・・・を境界として前身頃部４からポケット５を形成するポケット生地１４となる。前身頃部４の一部に縁７ａ，７ｂ，７ｃ・・・を境としてポケット生地１４が２重に編製されることでポケット５が形成される。
ただし、該ポケット５が形成される縁７ａ，７ｂ，７ｃ・・・には縫目はなく、勿論、縫糸は存在しない。
【００２０】
すなわち、ポケット５となるポケット生地１４は前身頃部４と連続し、その為に上記縁７ａ，７ｂ，７ｃ・・・にポケット生地１４の厚みに相当する段差はなく、また縫糸は存在しない為に、滑らかな内面と成っている。従って、インナーであれば着用した際の肌当たりは良好となる。
一方、ポケット生地１４を縫い付ける縫糸がないことで、前身頃部４の表面にも縫糸は表れないために、上衣１の外観が損なわれることもない
【００２１】
ところで、該ポケット５にはパッドが収容されるが、該パッドは一般的に円形又は楕円形をした皿形であり、図２に示すポケット５の形状は概略多角形を成して収容されるパッドとは違い、しかも大きい。
その為に、ポケット５に収容されたパッドは定位置に配置されることなく、ポケット空間内でその位置を変えることが出来る。そして、ポケット生地１４は縦横方向に伸び縮み可能な編み生地から成って伸縮性に優れ、ポケット５に収容されたパッドの内面になじむことが出来る。
すなわち、上衣１を着用した際にパッドがバストを包むように当たるならば、ポケット生地１４は伸びてパッド内面に接する。
【００２２】
図３はパッド８を示す具体例であり、（ａ）は正面図、（ｂ）は背面図、（ｃ）は（ａ）のＡ−Ａ断面図をそれぞれ表している。該パッド１は概略楕円形をした皿形をなし、その厚さは、外周部が薄くて中央部が厚く成っている。
そして、材質はソフトな肌触りのポリウレタン素材（ＰＵ素材）が使用され、無数の微細な穴が開いていることで通気性が良好で、蒸れることはない。
また、材質はソフトなポリウレタンに限らず、不織布などでクッション性に優れた材質を用いることも出来る。
同図に示す形状は概略楕円形と成っているが、その具体的な形状は限定せず、例えば概略円形とする場合もある。
【００２３】
そして、下側外周部の内面９には外周縁１０に沿って凸条１１が設けられている。該凸条１１はその断面を図３（ｃ）に示しているように、表面１２は滑らかな概略半円形として内面９と連続している。
上記凸条１１は通常の金属製ワイヤーを埋着したのではなく、例えば不織布で作ったエルクワイヤーが用いられ、その為に肌当たりにも優しい。勿論、凸条１１の高さ及び幅寸法も金属製ワイヤーに比較して大きいことで、バストと広い面積にて優しく接触することが出来、肌に食い込んで痛みを感じることはない。
【００２４】
上記エルクワイヤーとは、ポリエステル短繊維を立体的に交錯し、交錯点の少なくとも一部は固着されていて、従来の不織布や硬綿に比べて繊維の結合が強くてしなやかと成っている。そして、外から作用する外力に対して、如何なる方向からの圧力にも柔軟に対応し、引張っても圧縮してもフレキシブルな弾力性を呈することが出来る。勿論、上記凸条１１をパッド本体と同じ材質で構成することも可能である。
【００２５】
図４は上記ポケット５にパッド８を収容した場合を示している。該パッド８は比較的小さい挿入口６から小さく丸まって挿入され、ポケット５に嵌った状態で図３に示す所定の形状に復元する。そして、ポケット５の収容空間は大きくて、楕円形のパッド８の周りには、上下左右に隙間１３，１３・・・を有している。その為に、周囲に介在するこれら隙間１３，１３・・・の範囲内で該パッド８は移動することが出来る。
【００２６】
該パッド８は図１に示す上衣１に形成したポケット５に収容される。すなわち、バストに装着される従来のブラジャーに設けたポケットに収容される場合とは異なり、上衣１を身に着ける人の体型により、ポケット５の位置はズレる。
すなわち、上衣１を着た際にポケット５はバストの位置に正しく配置されない。まして、ポケット５に収容したパッド８はバストからズレてしまう。
その為に、該パッド８はポケット５の収容部空間の範囲内でその位置を移動させることが出来るように、周囲に上記隙間１３，１３・・・を設けている。
【００２７】
前記図１に示した実施例は上衣１について説明したが、本発明は、インナーも含める。アンダーシャツのようなインナーの胸元にポケットを形成し、このポケットにパッドを挿入することが出来る。
ここで、本発明が対象とするインナーとはガードルなどのように着用した際に身体を締め付ける衣類は除き、締め付けることなく、むしろ僅かなダブ付きをもって着用する衣類が主たる対象とされる。
【符号の説明】
【００２８】
１   上衣
２   見頃部
３   袖部
４   前見頃部
５   ポケット
６   挿入口
７   縁
８   パッド
９   内面
10   外周縁  
11   凸条
12   表面
13   隙間
14   ポケット生地
【図１】
2020176353.tif 000003
【図２】
2020176353.tif 000004
【図３】
2020176353.tif 000005
【図４】
2020176353.tif 000006